(57)【要約】【課題】  連結強度（耐震性）及び作業性の双方を向上させ且つ既設の天井下地構造に後付け可能な天井用クリップ及びこれを用いた連結固定方法を提供すること。【解決手段】  野縁受１１０と、先端にリップ部１２３が形成された一対の側面１２２，１２２を有する野縁１２０とを連結固定する。野縁受１１０の上面１１２ａに対向する上板部２と、上板部２のねじ孔に螺合すると共に先端が上面１１２ａに当接する締付部材３と、上板部２の両端部２０ａから鉛直方向Ｚに延在し且つ野縁受１１０の側面１１１に対向する一対の側板部４，４と、側板部４の下部から鉛直方向Ｚに延在し野縁１２０に差し込まれる差込片５とを備える。側板部４と差込片５との間には、締付部材３を締め付けることでリップ部１２３に係止する凹部６が設けられてある。【選択図】    図１
2020133132.tif 000002
【特許請求の範囲】
【請求項１】
野縁受と、先端にリップ部が形成された一対の側面を有する野縁とを連結固定する天井用クリップであって、
前記野縁受の上面に対向する上板部と、
前記上板部のねじ孔に螺合すると共に先端が前記上面に当接する締付部材と、
前記上板部の両端部から鉛直方向に延在し且つ前記野縁受の側面に対向する一対の側板部と、
前記側板部の下部から鉛直方向に延在し前記野縁に差し込まれる差込片とを備え、
前記側板部と前記差込片との間には、前記締付部材を締め付けることで前記リップ部に係止する凹部が設けられてある天井用クリップ。
【請求項２】
前記差込片は、その両側端部に前記野縁の下面に向けて幅狭となる一対の傾斜面部を有し、前記一対の傾斜面部の上部は前記リップ部の内側に嵌入する請求項１記載の天井用クリップ。
【請求項３】
前記上板部は、前記野縁受の上面に沿って突出する一対の突出片を有する請求項１又は２記載の天井用クリップ。
【請求項４】
前記一対の側板部の各々には、前記野縁受の側面に固定するためのビスを挿通させる挿通孔が設けられてある請求項１〜３のいずれかに記載の天井用クリップ。
【請求項５】
前記一対の側板部の各々には、鉛直方向に沿ってリブが設けられてある請求項１〜４のいずれかに記載の天井用クリップ。
【請求項６】
請求項１〜５のいずれかに記載の天井用クリップを用いた連結固定方法であって、
前記一対の側板部の間に前記野縁受を嵌入させて、
前記差込片を前記野縁に差し込み、
前記締付部材を締め付けて前記凹部を前記リップ部に係止させる天井用クリップを用いた連結固定方法。
【請求項７】
前記差込片は、その両側端部に前記野縁の下面に向けて幅狭となる一対の傾斜面部を有し、前記一対の傾斜面部の上部を前記リップ部の内側に嵌入させる請求項６記載の天井用クリップを用いた連結固定方法。
【請求項８】
前記一対の傾斜面部の少なくとも一方と前記野縁の側面とをビスで固定する請求項７記載の天井用クリップを用いた連結固定方法。
【請求項９】
前記一対の側板部の少なくとも一方と前記野縁受の側面とをビスで固定する請求項６〜８のいずれかに記載の天井用クリップを用いた連結固定方法。
【発明の詳細な説明】
【技術分野】
【０００１】
本発明は、天井用クリップ及びこれを用いた連結固定方法に関する。さらに詳しくは、野縁受と、先端にリップ部が形成された一対の側面を有する野縁とを連結固定する天井用クリップ及びこれを用いた連結固定方法に関する。
【背景技術】
【０００２】
従来、例えば特許文献１に示す如き野縁受け材を用いて、天井下地構造の耐震性の向上を図っている。しかし、この野縁受け材は、既設の天井下地構造に利用しにくく、既設の天井下地構造に対しても簡便に利用可能なものが求められていた。
【０００３】
一方で、上述の如き天井用クリップとして、例えば特許文献２に記載のものが知られている。このクリップは、同文献明細書段落００１８及び図４に記載の如く、野縁受け１を挟んで対向する板状の一対のクリップ金具３０，３０よりなり、クリップ金具３０を野縁２の幅方向に対して斜めになる姿勢で嵌め込んで旋回させることで野縁２に嵌装させている。このように、取付作業が煩雑であり、更なる作業性の向上が望まれていた。
【先行技術文献】
【特許文献】
【０００４】
【特許文献１】特許５４３３６４８号公報
【特許文献２】特開２０１３−１００７０４号公報
【発明の概要】
【発明が解決しようとする課題】
【０００５】
かかる従来の実情に鑑みて、本発明は、連結強度（耐震性）及び作業性の双方を向上させ且つ既設の天井下地構造に後付け可能な天井用クリップ及びこれを用いた連結固定方法を提供することを目的とする。
【課題を解決するための手段】
【０００６】
上記目的を達成するため、本発明に係る天井用クリップの特徴は、野縁受と、先端にリップ部が形成された一対の側面を有する野縁とを連結固定する構成において、前記野縁受の上面に対向する上板部と、前記上板部のねじ孔に螺合すると共に先端が前記上面に当接する締付部材と、前記上板部の両端部から鉛直方向に延在し且つ前記野縁受の側面に対向する一対の側板部と、前記側板部の下部から鉛直方向に延在し前記野縁に差し込まれる差込片とを備え、前記側板部と前記差込片との間には、前記締付部材を締め付けることで前記リップ部に係止する凹部が設けられてあることにある。
【０００７】
上記構成によれば、上板部の両端部から鉛直方向に延在し且つ野縁受の側面に対向する一対の側板部と、側板部の下部から鉛直方向に延在し野縁に差し込まれる差込片とを備え、側板部と前記差込片との間に締付部材をリップ部に係止する凹部を設けてある。これにより、先端が野縁受の上面に当接する締付部材を上板部のねじ孔に螺合させて締め付けることで、側板部及び差込片が野縁受に対し相対的に上昇していき、側板部と差込片との間に位置する凹部がリップ部に係止する。このように、締付部材の締付により野縁と野縁受とが引き寄せられ且つ締付により連結状態も強固に安定する。しかも、締付作業で強固な連結が可能となり、作業性も向上する。
【０００８】
上記構成において、前記差込片は、その両側端部に前記野縁の下面に向けて幅狭となる一対の傾斜面部を有し、前記一対の傾斜面部の上部は前記リップ部の内側に嵌入するとよい。一対の傾斜面部の上部がリップ部の内側に嵌入するので、野縁と野縁受との連結がより強固となる。しかも、一対の傾斜面部は野縁の下面に向けて幅狭であるので、差込片を野縁に差し込む際に一対の傾斜面部が野縁を押し広げるように差し込まれるので、差込作業が円滑となり、作業性もよい。
【０００９】
また、前記上板部は、前記野縁受の上面に沿って突出する一対の突出片を有するとよい。この一対の突出片に作業者が指を掛けることができるので、天井用クリップを扱い易く、作業性が向上する。
【００１０】
前記一対の側板部の各々には、前記野縁受の側面に固定するためのビスを挿通させる挿通孔が設けられてあるとよい。これにより、ビス打ちが容易となり、ビス固定により連結強度も向上する。これにより、基板を野縁受にビス止めすることでより強固な連結固定とできるので、耐震性をさらに向上させることができる。
【００１１】
前記一対の側板部の各々には、鉛直方向に沿ってリブが設けられてあるとよい。これにより、クリップ自体の強度も向上でき、耐震性をさらに向上させることができる。
【００１２】
上記目的を達成するため、本発明に係る天井用クリップを用いた連結固定方法の特徴は、上記特徴構成のいずれかに記載の天井用クリップを用いた連結固定方法において、前記一対の側板部の間に前記野縁受を嵌入させて、前記差込片を前記野縁に差し込み、前記締付部材を締め付けて前記凹部を前記リップ部に係止させることにある。
【００１３】
係る場合、前記差込片は、その両側端部に前記野縁の下面に向けて幅狭となる一対の傾斜面部を有し、前記一対の傾斜面部の上部を前記リップ部の内側に嵌入させるとよい。係る場合、前記一対の傾斜面部の少なくとも一方と前記野縁の側面とをビスで固定するとよい。また、前記一対の側板部の少なくとも一方と前記野縁受の側面とをビスで固定してもよい。
【発明の効果】
【００１４】
上記本発明に係る天井用クリップ及びこれを用いた連結固定方法の特徴によれば、連結強度（耐震性）及び作業性の双方を向上させ且つ既設の天井下地構造に後付けすることが可能となった。
【００１５】
本発明の他の目的、構成及び効果については、以下の発明の実施の形態の項から明らかになるであろう。
【図面の簡単な説明】
【００１６】
【図１】本発明に係る天井用クリップによる連結固定状態を示す斜視図である。
【図２】本発明に係る天井用クリップの斜視図である。
【図３】天井用クリップを野縁受に嵌入させる状態を示す斜視図である。
【図４】野縁受を嵌入させた天井用クリップを野縁に差し込む前の状態を示す斜視図である。
【図５】野縁受を嵌入させた天井用クリップを野縁に差し込んだ途中の状態を示す野縁長手方向視図である。
【図６】野縁受を嵌入させた天井用クリップを野縁に差し込んだ後の状態を示す斜視図である。
【図７Ａ】図６の野縁長手方向視図である。
【図７Ｂ】図６の野縁受長手方向視図である。
【図８Ａ】締付部材を締め付けた状態を示す図７Ａ相当図である。
【図８Ｂ】締付部材を締め付けた状態を示す図７Ｂ相当図である。
【発明を実施するための形態】
【００１７】
次に、適宜添付図面を参照しながら、本発明をさらに詳しく説明する。
本発明に係る天井用クリップ１は、例えば、図１に示す如く、天井下地構造１００において、野縁受１１０と先端にリップ部１２３が形成された一対の側面１２２，１２２を有する野縁１２０とを連結固定する。
【００１８】
野縁受１１０は、図１，３に示すように、側面としてのウェブ１１１と対をなす上下面としての上下フランジ１１２ａ，１１２ｂとを有するチャンネル材である。図示省略するが、天井下地構造１００において、野縁受１１０は、天井スラブから垂下する吊りボルト及びハンガー部材を介して複数本並列して支持される。
【００１９】
野縁１２０は、図１，４に示すように、野縁受１１０の下フランジ１１２ｂの下面で野縁受１１０に略直交する。野縁１２０は、図示省略する天井仕上材を取り付ける下面としてのウェブ１２１と、ウェブ１２１の両側から立ち上がる一対のフランジ１２２，１２２を有する。フランジ１２２の上端は屈曲されて、後述する凹部６と係合するリップ部１２３が形成されている。
【００２０】
天井用クリップ１は、図１，２に示すように、大略、野縁受１１０の上フランジ１１２ａに対向する上板部２と、後述するねじ孔２２に螺合すると共に先端３１が上フランジ１１２ａに当接する締付部材３と、野縁受１１０のウェブ１１１に対向する一対の側板部４，４と、野縁１２０に差し込まれる差込片５とを備える。
【００２１】
上板部２は、図１，２に示すように、野縁受１１０の上フランジ１１２ａの幅とほぼ同幅の板状の本体部２０と、本体部２０から野縁受１１０の上フランジ１１２ａに沿って突出する一対の突出片２１，２１とを有する。本体部２０の略中央には、締付部材３を螺合させるねじ孔２２が形成されている。このねじ孔２２は、例えば、バーリング加工によって形成される。
【００２２】
締付部材３としては、例えば、六角ボルトが用いられる。この締付部材３のボルト軸部３０の長さは、締付部材３を締め付けた際に傾斜面部５２の上端５２ａがリップ部１２３の内側に係止するように設定される。
【００２３】
側板部４は、図１，２に示すように、上板部２の両側端部２０ａ，２０ａから鉛直方向Ｚに延在する板状の一対の本体部４０，４０を有する。一対の本体部４０，４０は野縁受１１０を挟んで対向し、一方の本体部４０は野縁受１１０のウェブ１１１に接する。一対の本体部４０，４０の各々には、野縁受１１０のウェブ１１１に固定するためのビスを挿通させる挿通孔４１が設けられている。また、本体部４０の中央には、鉛直方向Ｚに沿って後述する接続部５１にわたって補強用のリブ４２が設けられている。
【００２４】
差込片５は、野縁１２０の長手方向Ｘに直交する板状の本体部５０と、側板部４の下部から鉛直方向Ｚに延在し本体部５０と接続する接続部５１とを有する。接続部５１の野縁受長手方向の幅は、リップ部１２３間の距離よりも小さい。
【００２５】
差込片５の本体部５０は、両側端部に一対の板状の傾斜面部５２，５２を有する。この傾斜面部５２は、本体部５０に直交して設けられ、野縁１２０のフランジ１２２に対向して配置される。また、一対の傾斜面部５２，５２は、野縁１２０のウェブ１２１に向けて幅狭となるように、傾斜面部５２の上端５２ａの間の距離が下端５２ｂの間の距離よりも大きい。さらに、傾斜面部５２の上端５２ａの間の距離は、対向するリップ部１２３間の距離よりも大きい。
【００２６】
側板部４の本体部４０と差込片５の本体部５０との間には、野縁１２０のリップ部１２３が係止する凹部６が設けられている。この凹部６は、接続部５１の外側に位置する。
【００２７】
ここで、野縁受１１０と野縁１２０との連結固定手順（天井用クリップ１の取付手順）について説明する。
まず、図３に示すように、ねじ孔２２に締付部材３を取り付けた（螺合させた）状態で、野縁受１１０の上部から天井用クリップ１を被せて、一対の本体部４０，４０の間に野縁受１１０を嵌入させる。ここで、上板部２には、板状の一対の突出片２１，２１が設けられているので、作業者は指でその突出片２１を押圧すればよく、作業性がよい。また、ビス９を挿通させる挿通孔４１は、一対の本体部４０，４０の各々に設けてあるので、天井用クリップ１の向きを考慮することなく野縁受１１０を嵌入できるので、この点においても作業性がよい。
【００２８】
次に、図４に示すように、野縁受１１０を嵌入させた天井用クリップ１の差込部５を野縁１２０に差し込んでいく。ここで、差込部５の一対の傾斜面部５２，５２は、野縁１２０のウェブ１２１（鉛直方向Ｚ下方）に向けて幅狭に形成しているので、図５に示す如く、野縁１２０のフランジ１２２，１２２を押し広げながら（フランジ１２２を撓ませて）差し込まれる。そして、図６，７に示すように、差込部５の差込が完了すると、フランジ１２２，１２２の撓みが解消し、傾斜面部５２が野縁１２０のリップ部１２３の直下に位置することとなる。このように、差込作業でスムースに行え、且つ差込後の差込部５の脱落も防止される。
【００２９】
その後、締付部材３を締め付けていく。この締付により、図８に示すように、側板部４及び差込部５が野縁受１１０に対し相対的に上昇して傾斜面部５２の上端５２ａがリップ部１２３の内部に当接すると共に凹部６の下部６２がリップ部１２３の縁に係止する。これにより、野縁受１１０と野縁１２０との連結が強固となり、しかも、締付部材３の締付により連結状態が安定して維持されることとなる。
【００３０】
最後に、図１，８に示す如く、側板部４の本体部４０をビス９で野縁受１１０のウェブ１１１に固定してもよく、傾斜面部５２をビス９で野縁１２０のフランジ１２２に固定してもよい。これらのビス止め固定により、さらに連結強度が増し、天井下地構造１００の耐震性が向上する。
【００３１】
最後に、本発明の他の実施形態の可能性について言及する。なお、上述の実施形態と同様の部材には同一の符号を附してある。
上記実施形態において、差込片５の両側端部に野縁１２０のウェブ１２１に向けて幅狭となる一対の傾斜面部５２，５２を設け、一対の傾斜面部５２，５２の上端５２ａをリップ部１２３の内側に嵌入するように構成した。しかし、連結強度及び作業性の向上を図れる形状であれば、差込片５の形状は上記に限られるものではない。
【００３２】
また、上記実施形態において、リップ部１２３を角形に形成しているが、例えば円弧状に形成しても構わない。
【符号の説明】
【００３３】
１：天井用クリップ、２：上板部、３：締付部材、４：側板部、５：差込片、６：凹部、９：ビス、２０：本体部、２０ａ：側端部、２１：突出片、２２：ねじ孔、３０：ボルト軸部、３１：先端、４０：本体部、４１：挿通孔（ビス孔）、４２：リブ、５０：本体部、５１：接続部、５２：傾斜面部、５２ａ：上部（上端）、５２ｂ：下部（下端）、６１：上部、６２：下部、１００：天井下地構造、１１０：野縁受、１１１：ウェブ（側面）、１１２：フランジ、１１２ａ：上フランジ（上面）、１１２ｂ：下フランジ（下面）、１２０：野縁、１２１：ウェブ（下面）、１２２：フランジ（側面）、１２３：リップ部、Ｘ：野縁長手方向、Ｙ：野縁受長手方向、Ｚ：鉛直方向
【図１】
2020133132.tif 000003
【図２】
2020133132.tif 000004
【図３】
2020133132.tif 000005
【図４】
2020133132.tif 000006
【図５】
2020133132.tif 000007
【図６】
2020133132.tif 000008
【図７Ａ】
2020133132.tif 000009
【図７Ｂ】
2020133132.tif 000010
【図８Ａ】
2020133132.tif 000011
【図８Ｂ】
2020133132.tif 000012